(57)【要約】【課題】  タイトルやアーティスト等の録音内容を容易に確認可能な音楽情報を作成できる録音システム、録音装置、その制御方法、制御プログラム及び記録媒体を提供する。【解決手段】  録音装置は、録音時に、音声と共に、放送局名や放送時間をインデックス情報として記憶し（ステップＳ１〜Ｓ４）、このインデックス情報を元に、コンテンツ情報提供サーバからその音声のタイトル等を含むコンテンツ情報を取得し（ステップＳ５〜Ｓ７）、取得したコンテンツ情報の内容を録音音声の音声データの付属情報に書き込んで、コンテンツ情報の内容を音声データに付加する（ステップＳ８）。【選択図】      図２
2005276375.tif 000002
【特許請求の範囲】
【請求項１】
放送された音声コンテンツを特定するコンテンツ情報を、放送局名及び放送時間と対応づけて蓄積するデータベースを備え、所定の電気通信回線を介して前記データベースに蓄積した前記コンテンツ情報を送信するコンテンツ情報提供装置と、
前記放送波を受信して前記放送波から得た音声を記録する録音装置とを有し、
前記録音装置は、
前記コンテンツ情報提供装置と前記電気通信回線を介して通信する通信手段と、
前記音声を記録する際に、その音声を放送する放送局名と放送時間とを当該音声のインデックス情報として記録し、前記通信手段を介して、前記コンテンツ情報提供装置から前記インデックス情報に対応づけられた前記コンテンツ情報を取得し、取得した前記コンテンツ情報を前記記録された音声データ或いは音声信号に付加して音楽情報を生成する録音制御手段とを有する
ことを特徴とする録音システム。
【請求項２】
前記録音装置は、前記コンテンツ情報の取得指示を入力する操作手段を備え、
前記録音制御手段は、前記取得指示が入力されると、前記通信手段により前記インデックス情報を前記コンテンツ情報提供装置に送信することにより、前記インデックス情報に対応づけられた前記コンテンツ情報を取得することを特徴とする請求項１に記載の録音システム。
【請求項３】
前記録音制御手段は、前記音声を記録する際に、当該音声の中から音楽部分を抽出して音楽部分だけを記録することを特徴とする請求項１又は２に記載の録音システム。
【請求項４】
音声コンテンツを放送する放送局からの放送波を受信して当該放送波から得た音声を記録する録音装置において、
放送局名及び放送時間に対応づけられたコンテンツ情報を提供するコンテンツ情報提供装置と電気通信回線を介して通信する通信手段と、
前記放送波から得た音声を記録する際に、その音声を放送する放送局名と放送時間とを当該音声のインデックス情報として記録し、前記通信手段を介して、前記コンテンツ情報提供装置から前記インデックス情報に対応づけられた前記コンテンツ情報を取得し、取得した前記コンテンツ情報を前記記録された音声データ或いは音声信号に付加して音楽情報を生成する録音制御手段と
を備えることを特徴とする録音装置。
【請求項５】
前記コンテンツ情報の取得指示を入力する操作手段を備え、
前記録音制御手段は、前記取得指示が入力されると、前記通信手段により前記インデックス情報を前記コンテンツ情報提供装置に送信することにより、前記インデックス情報に対応づけられた前記コンテンツ情報を取得することを特徴とする請求項４に記載の録音装置。
【請求項６】
前記録音制御手段は、前記音声を記録する際に、当該音声の中から音楽部分を抽出して音楽部分を記録することを特徴とする請求項４又は５に記載の録音装置。
【請求項７】
音声コンテンツを放送する放送局からの放送波を受信して当該放送波から得た音声を記録する録音装置の制御方法において、
前記音声を記録する際に、その音声を放送する放送局名と放送時間とを当該音声のインデックス情報として記録し、
放送局名及び放送時間に対応づけられた、前記音声コンテンツを特定するコンテンツ情報を提供するコンテンツ情報提供装置と電気通信回線を介して通信することにより、前記インデックス情報に対応づけられた前記コンテンツ情報を取得し、
取得した前記コンテンツ情報を前記記録された音声データ或いは音声信号に付加して音楽情報を生成することを特徴とする録音装置の制御方法。
【請求項８】
音声コンテンツを放送する放送局からの放送波を受信して当該放送波から得た音声を記録する録音装置をコンピュータにより制御するための制御プログラムにおいて、
前記音声を記録する際に、その音声を放送する放送局名と放送時間とを当該音声のインデックス情報として記録させ、
放送局名及び放送時間に対応づけられた、前記音声コンテンツを特定するコンテンツ情報を提供するコンテンツ情報提供装置と電気通信回線を介して通信させることにより、前記インデックス情報に対応づけられた前記コンテンツ情報を取得させ、
取得した前記コンテンツ情報を前記記録された音声データ或いは音声信号に付加して音楽情報を生成させることを特徴とする制御プログラム。
【請求項９】
音声コンテンツを放送する放送局からの放送波を受信して当該放送波から得た音声を記録する録音装置をコンピュータにより制御するための制御プログラムを記録した記録媒体において、
前記音声を記録する際に、その音声を放送する放送局名と放送時間とを当該音声のインデックス情報として記録させ、
放送局名及び放送時間に対応づけられた、前記音声コンテンツを特定するコンテンツ情報を提供するコンテンツ情報提供装置と電気通信回線を介して通信させることにより、前記インデックス情報に対応づけられた前記コンテンツ情報を取得させ、
取得した前記コンテンツ情報を前記記録された音声データ或いは音声信号に付加して音楽情報を生成させるための制御プログラムをコンピュータ読み取り可能に記録したことを特徴とする記録媒体。
【発明の詳細な説明】
【技術分野】
【０００１】
本発明は、放送局から放送された音声コンテンツを記録して、再生に適した音楽情報を作成する録音システム、録音装置、その制御方法、制御プログラム及び記録媒体に関する。
【背景技術】
【０００２】
ラジオ放送の聴取者は、気に入った音楽が流れた際に、ＭＤ（Mini disk：登録商標）レコーダ等の録音装置を用いることにより、その音楽を録音することができる。一方、この録音した音楽のタイトルやアーティストが判るようにするために、ユーザ端末から、録音した音楽を流した放送局名や放送時間を含む放送タグが送信されると、この放送タグに対応づけて記憶された、タイトルやアーティストを記述した識別情報をユーザ端末に送信するデータベースサーバが提案されている（例えば、特許文献１）。
【特許文献１】特開２００２−１６２９７３号公報
【発明の開示】
【発明が解決しようとする課題】
【０００３】
しかしながら、上記特許文献１の技術は、ユーザ端末が、データベースサーバから送信された識別情報を取得して、その時点でユーザに通知するものであるため、タイトルやアーティストを確認するには、その都度、識別情報を取得しなければならない。また、識別情報と音楽データとが別々の情報であるため、その識別情報を音楽データの検索等に利用することができない、録音データをパーソナルコンピュータに取り込む（コピーする）と、その録音データのタイトル等が判らなくなってしまうといった不便な点がある。
【０００４】
本発明は、上述した事情に鑑みてなされたものであり、タイトルやアーティスト等の録音内容を容易に確認可能な音楽情報を作成できる録音システム、録音装置、その制御方法、制御プログラム及び記録媒体を提供することを目的としている。
【課題を解決するための手段】
【０００５】
上述課題を解決するため、本発明は、録音システムにおいて、放送された音声コンテンツを特定するコンテンツ情報を、放送局名及び放送時間と対応づけて蓄積するデータベースを備え、所定の電気通信回線を介して前記データベースに蓄積した前記コンテンツ情報を送信するコンテンツ情報提供装置と、前記放送波を受信して前記放送波から得た音声を記録する録音装置とを有し、前記録音装置は、前記コンテンツ情報提供装置と前記電気通信回線を介して通信する通信手段と、前記音声を記録する際に、その音声を放送する放送局名と放送時間とを当該音声のインデックス情報として記録し、前記通信手段を介して、前記コンテンツ情報提供装置から前記インデックス情報に対応づけられた前記コンテンツ情報を取得し、取得した前記コンテンツ情報を前記記録された音声データ或いは音声信号に付加して音楽情報を生成する録音制御手段とを有することを特徴とする。
【０００６】
この構成によれば、放送された音声コンテンツを特定するコンテンツ情報を取得し、取得したコンテンツ情報を記録された音声データ或いは音声信号に付加して音楽情報を生成するので、ユーザは音楽情報を参照等することによって録音内容を容易に確認することが可能となる。
【０００７】
上記構成において、前記録音装置は、前記コンテンツ情報の取得指示を入力する操作手段を備え、前記録音制御手段は、前記取得指示が入力されると、前記通信手段により前記インデックス情報を前記コンテンツ情報提供装置に送信することにより、前記インデックス情報に対応づけられた前記コンテンツ情報を取得するようにしてもよい。また、前記録音制御手段は、前記音声を記録する際に、当該音声の中から音楽部分を抽出して音楽部分だけを記録するようにしてもよい。
【０００８】
また、本発明は、音声コンテンツを放送する放送局からの放送波を受信して当該放送波から得た音声を記録する録音装置において、放送局名及び放送時間に対応づけられたコンテンツ情報を提供するコンテンツ情報提供装置と電気通信回線を介して通信する通信手段と、前記放送波から得た音声を記録する際に、その音声を放送する放送局名と放送時間とを当該音声のインデックス情報として記録し、前記通信手段を介して、前記コンテンツ情報提供装置から前記インデックス情報に対応づけられた前記コンテンツ情報を取得し、取得した前記コンテンツ情報を前記記録された音声データ或いは音声信号に付加して音楽情報を生成する録音制御手段とを備えることを特徴とする。
【０００９】
上記構成において、前記コンテンツ情報の取得指示を入力する操作手段を備え、前記録音制御手段は、前記取得指示が入力されると、前記通信手段により前記インデックス情報を前記コンテンツ情報提供装置に送信することにより、前記インデックス情報に対応づけられた前記コンテンツ情報を取得するようにしてもよい。また、前記録音制御手段は、前記音声を記録する際に、当該音声の中から音楽部分を抽出して音楽部分を記録するようにしてもよい。
【００１０】
また、本発明は、音声コンテンツを放送する放送局からの放送波を受信して当該放送波から得た音声を記録する録音装置の制御方法において、前記音声を記録する際に、その音声を放送する放送局名と放送時間とを当該音声のインデックス情報として記録し、放送局名及び放送時間に対応づけられた、前記音声コンテンツを特定するコンテンツ情報を提供するコンテンツ情報提供装置と電気通信回線を介して通信することにより、前記インデックス情報に対応づけられた前記コンテンツ情報を取得し、取得した前記コンテンツ情報を前記記録された音声データ或いは音声信号に付加して音楽情報を生成することを特徴とする。
【００１１】
この方法によれば、放送された音声コンテンツを特定するコンテンツ情報を取得し、取得したコンテンツ情報を記録された音声データ或いは音声信号に付加して音楽情報を生成するので、ユーザは音楽情報を参照等することによって録音内容を容易に確認することが可能となる。
【００１２】
また、本発明は、以上説明した録音システム、録音装置及びその制御方法に適用する他、この発明を実施するための制御プログラムを電気通信回線を介して一般ユーザに配布したり、そのようなプログラムを、磁気記録媒体、光記録媒体、半導体記録媒体等のコンピュータに読み取り可能な記録媒体に格納して一般ユーザに配布する、といった態様でも実施され得る。
【発明の効果】
【００１３】
本発明は、録音内容を容易に確認可能な音楽情報を作成することができる。
【発明を実施するための最良の形態】
【００１４】
以下、図面を参照しつつ本発明の実施の形態について説明する。
図１は、本実施形態に係る録音システム１を示す概略図である。
この録音システム１は、ラジオ放送局やテレビ放送局等の複数の放送局からの放送波を受信して放送された音声コンテンツを録音する録音装置１０と、放送された音声コンテンツを特定するコンテンツ情報を提供するコンテンツ情報提供サーバ（コンテンツ情報提供装置）２０とを備えている。
【００１５】
図１に示すように、この録音装置１０において、制御部（録音制御手段）２１は、ＣＰＵやＲＯＭやＲＡＭを備え、この録音装置１０全体を制御するコンピュータとして機能する。また、制御部２１は、時刻を計時する時計回路（ＲＴＣ（Real Time Clock）等）を具備することにより、現在時刻を計時する計時機能を備えている。
【００１６】
記憶部２２は、ＨＤＤ（Hard Disk Drive）等の記憶装置を備え、制御部２１が実行する制御プログラムや音声データ、設定に関するデータ等が記憶される。なお、設定に関するデータは、上記コンテンツ情報を自動取得するか否かを示すフラグ情報等が記述されており、このフラグ情報はユーザの指示に応じて適宜書き換えが可能となっている。
【００１７】
通信部（通信手段）２３は、制御部２１の制御の下、携帯電話機（通信端末）３０と有線、或いは無線で接続され、この携帯電話機３０とデータ通信することにより、携帯電話機３０を介してインターネットＩＮに接続された各種端末とデータ通信する。この通信部２３は、特に、コンテンツ情報提供サーバ２０とデータ通信することで、コンテンツ情報を受信するために使用される。なお、携帯電話機３０に代えて、ＰＨＳ（Personal Handyphone System：登録商標）端末などの他の通信端末を使用するようにしてもよい。
【００１８】
チューナ部２４は、制御部２１の制御の下、受信周波数等を切り替え、ラジオ放送波やテレビ放送波のうちの一の放送波を受信して放送される音声コンテンツの音声信号を出力する。Ａ／Ｄ変換部２５は、チューナ部２４から出力された音声信号をアナログデジタル変換して圧縮伸張部２６に出力する。
【００１９】
圧縮伸張部２６は、制御部２１の制御の下、Ａ／Ｄ変換部２５から出力された音声信号に所定の圧縮処理を施して出力し、また、制御部２１の制御の下、記憶部２２に記憶された音声データ（音楽情報）に所定の伸張処理を施して音声信号に変換して出力する。ここで、圧縮処理が施された音声データは、制御部２１の制御の下、記憶部２２に記憶され、これにより、放送された音声コンテンツ（楽曲等）がデジタル録音される。
【００２０】
Ｄ／Ａ変換部２７は、圧縮伸張部２６から出力された音声信号をデジタルアナログ変換し、アンプ２８は、この音声信号を増幅してスピーカ２９に出力することにより音声を放音させる。操作部３１は、ユーザが電源投入や録音や再生等の基本的な操作をするための操作子の他、コンテンツ情報の取得指示を行うための操作子等を備えている。表示部３２は、例えば液晶パネルと駆動回路から構成され、制御部２１の制御の下、各種情報を表示する。
【００２１】
コンテンツ情報提供サーバ２０は、一般的なコンピュータシステムから構成され、ラジオやテレビ等の複数の放送局から放送された音声コンテンツを特定するコンテンツ情報を蓄積するデータベース４０を備え、このデータベース４０に蓄積されたコンテンツ情報を提供するサービスを行うものである。
【００２２】
ここで、コンテンツ情報は、音声コンテンツのタイトル、アーティスト情報、アルバム情報等を含む情報である。データベース４０は、複数のコンテンツ情報を、その放送局名及び放送時間と対応づけて蓄積しており、これによって、コンテンツ情報提供サーバ２０は、放送局名及び放送時間を検索キーとして、蓄積された多数のコンテンツ情報の中から適切なコンテンツ情報を検索できるようになっている。
【００２３】
次に、録音装置１０の動作を説明する。
図２は、録音装置１０の録音時の動作を示すフローチャートである。
この録音装置１０の制御部２１は、操作部３１を介して録音開始指示を入力すると、チューナ部２４によりラジオ放送波又はテレビ放送波を受信中でなければ受信処理を開始し（ステップＳ１）、チューナ部２４から出力された音声信号が音楽の音声信号か否かを判定する（ステップＳ２）。この音楽判定処理は、例えば、音声信号の周波数特性に基づいて音楽か否かを判定する処理（例えば、人の音声の周波数帯域のみであれば音楽でないと判定する）等を適用すればよい。
【００２４】
この判別結果がＮＯであれば、制御部２１は、音楽の音声信号と判定するまで待機する。一方、この判別結果がＹＥＳであれば、制御部２１は録音を開始し、操作部３１を介して録音停止指示を入力するまで録音を継続する（ステップＳ３）。これにより、制御部２１は、放送波に含まれる音声の中から、ＤＪ部分やＣＭ部分等を除いて、音楽部分だけを抽出して録音することができる。
【００２５】
また、制御部２１は、録音の開始時刻と終了時刻とを取得し、これら時刻からなる放送時間（或いは開始時刻、終了時刻の一方でもよい）と放送局の情報とを、インデックス情報として、記憶部２２に予め割り当てたインデックスファイル領域に書き込む（ステップＳ４）。これにより、記憶部２２に記憶された、録音音声のデータ毎に、インデックス情報が生成されることとなる。
【００２６】
続いて、制御部２１は、記憶部２２に記憶された設定情報を読み出し、現在の設定が、コンテンツ情報を自動取得する設定か否かを判定し（ステップＳ５）、自動取得する設定の場合は、録音した音声のコンテンツ情報を取得すべく、次の処理を行う。
【００２７】
すなわち、制御部２１は、通信部２３により携帯電話機３０を介してインターネットＩＮにアクセスし、インターネットＩＮに接続されたコンテンツ情報提供サーバ２０と接続した後、記憶部２２に記憶されたインデックス情報を送信し、このインデックス情報に対応するコンテンツ情報の問い合わせを行う（ステップＳ６）。
【００２８】
この場合、コンテンツ情報提供サーバ２０は、送信されたインデックス情報（放送時間及び放送局）を元に、データベース４０を検索することにより、そのインデックス情報により示される放送時間及び放送局にて放送された音声コンテンツのコンテンツ情報を特定し、そのコンテンツ情報のダウンロード先（リンク先のアドレス等）を通知する。
【００２９】
ダウンロード先が通知されると、制御部２１は、通信部２３により携帯電話機（通信端末）３０を介してダウンロード先のコンテンツ情報をダウンロードし、記憶部２２に記憶する（ステップＳ７）。これにより、制御部２１はコンテンツ情報提供サーバ２０から、録音した音声に対応するコンテンツ情報を自動で取得することができる。
【００３０】
続いて、制御部２１は、インターネットＩＮへの接続を遮断してコンテンツ情報提供サーバ２０との接続を断った後、取得したコンテンツ情報を、記憶部２２に記憶された録音音声のデータ（音声データ）に付加する処理を行う（ステップＳ８）。具体的には、制御部２１は、取得したコンテンツ情報の内容を、音声データの付属情報（プロパティの欄）に書き込むことにより、録音内容付きの音声データ（音楽情報）に書き換える。
【００３１】
一方、ステップＳ５における判定の結果、現在の設定が、コンテンツ情報を自動取得する設定ではない場合（＝手動取得の設定の場合）、制御部２１は、ユーザに対してコンテンツ情報の取得を促すメッセージを表示部３２に表示させ（ステップＳ９）、操作部３１を介してコンテンツ情報の取得指示を入力したか否かを判定する（ステップＳ１０）。この判定結果がＹＥＳである場合には、制御部２１は、ステップＳ６の処理に移行し、コンテンツ情報提供サーバ２０からコンテンツ情報を取得し、この判別結果がＮＯである場合には処理を終了する。
【００３２】
これにより、録音音声のコンテンツ情報をコンテンツ情報提供サーバ２０から取得した場合には、録音音声の音声データは、コンテンツ情報の内容を記述した音声データ（音楽情報）に書き換えられる。このため、ユーザは、記憶部２２に記憶された音声データ（音楽情報）を再生する場合に、その音声データ（音楽情報）の付属情報（プロパティ）を閲覧することにより、その音声データのタイトル名やアーティスト名等を容易に確認可能となり、所望の音声データを容易に再生することができる。
【００３３】
また、この録音装置１０が、付属情報に基づいて音楽データをソート（並べ替え）する、一般の音楽再生ソフトが備える機能を具備することにより、録音した音声データを、タイトル毎或いはアーティスト毎に並べ替えることができ、これによってもユーザが所望の音声データを容易に再生することができる。
【００３４】
以上説明したように、本実施形態に係る録音装置１０は、録音時に、音声と共に、放送局名や放送時間をインデックス情報として記憶し、このインデックス情報を元に、コンテンツ情報提供サーバ２０からその音声のタイトル等を含むコンテンツ情報を取得し、取得したコンテンツ情報の内容を録音音声の音声データに付加するので、ユーザは録音内容を容易に確認することが可能となる。さらに、この音声データをパーソナルコンピュータ等の他の電子機器にコピー等しても、その録音内容は確認可能に維持される。
【００３５】
上述した実施形態は、本発明の一態様を示すものであり、この発明を限定するものではなく、本発明の範囲内で任意に変更可能である。さらに、実施例で示した構成はそれに限定されるものでは無く、本発明の趣旨を逸脱しない範囲で適宜変更が可能である。
【００３６】
例えば、上述の実施形態では、デジタル録音の場合について述べたが、アナログ録音するようにしてもよい。この場合、録音装置１０の制御部２１が、コンテンツ情報内のテキスト情報（タイトル、アーティスト等）に基づいて音声合成処理を施して音声信号を生成し、アナログ録音した音声信号の先頭或いは最後に結合する処理を施すようにしてもよいし、コンテンツ情報そのものを音声信号形式にしてもよい。更に、最初はアナログ録音し、コンテンツ情報の内容を付加する際に、デジタル圧縮形式の音声データに変換してもよい。
【００３７】
また、上述の実施形態では、チューナ部２４から出力された音声信号が音楽の音声信号か否かを判定する音楽判定処理（ステップＳ２の処理）を行う場合について述べたが、この音楽判定処理を省略してもよい。
【００３８】
また、上述の実施形態では、上記録音処理を行うための制御プログラムを予め記憶部３６に記憶しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００３９】
【図１】本実施形態に係る録音システムを示す概略図である。
【図２】録音システムの録音装置の動作を示すフローチャートである。
【符号の説明】
【００４０】
１  録音システム
１０  録音装置
２０  コンテンツ情報提供サーバ
３０  携帯電話機
２１  制御部
２２  記憶部
２３  通信部
２４  チューナ部
３１  操作部
ＩＮ  インターネット
【図１】
2005276375.tif 000003
【図２】
2005276375.tif 000004